(57)【要約】【課題】猪が侵入しづらい柵を提供する。【解決手段】地上から７０センチメートル乃至９０センチメートルの高さを亀甲金網とし、その上の地上１８０センチメートル乃至２００センチメートルまでを格子型金網とする。地面と接する部分は２５センチメートル乃至４０センチメートルの幅にわたって設けた折り返し部として、アンカーにて固定する。アンカーを４０センチメートル間隔で設ける。リブを多用した形状により支柱の強度を高める。亀甲金網と格子型金網との境目はラセン金具を多数用いて接続する。格子型金網の格子の大きさは、上にいくほどまばらにする。【選択図】図１
0003161416.tif 000002
【実用新案登録請求の範囲】
【請求項１】
所定の間隔をもって配設された支柱を介して網状体を張りめぐらしてなる侵入防止柵であって、
前記網状体は、
地面に接する部分からはじまり地上７０センチメートル乃至９０センチメートルの高さまでを覆う亀甲金網と、
該亀甲金網のすぐ上からはじまり、地上１８０センチメートル乃至２００センチメートルの高さまでを覆う格子型金網と
からなることを特徴とする侵入防止柵。
【請求項２】
請求項１に記載した侵入防止柵であって、
前記亀甲金網が地面と接する部分は、２５センチメートル乃至４０センチメートルの幅にわたって設けた折り返し部とし、
該亀甲金網を地面に固定するアンカーを設けたことを特徴とする侵入防止柵。
【請求項３】
請求項２に記載した侵入防止柵であって、
前記アンカーを３０センチメートル乃至５０センチメートル間隔で複数設けることを特徴とする侵入防止柵。
【請求項４】
請求項１、２又は３のいずれか一に記載した侵入防止柵であって、
前記支柱の形状をリブを多用したものとして、支柱の強度を高めたことを特徴とする侵入防止柵。
【請求項５】
請求項１，２，３又は４のいずれか一に記載した侵入防止柵であって、
前記亀甲金網と格子型金網との間の接続部分に、針金を複数回巻いてなるコイル状のラセン金具を複数用いた
ことを特徴とする侵入防止柵。
【請求項６】
請求項１，２，３，４又は５のいずれか一に記載した侵入防止柵であって、
前記格子型金網を構成する水平に設けた針金の間隔は上にいくほどまばらとなっている
ことを特徴とする侵入防止柵。
【考案の詳細な説明】
【技術分野】
【０００１】
本考案は、野生動物とりわけ猪の侵入を防止する侵入防止柵に関する。
【背景技術】
【０００２】
猪、鹿などの野生動物の侵入を防止する柵においては、飛び越えることを防ぐためにある程度の高さ（２メートルほど）を必要とする。また、口、牙、鼻などを網目に突っ込んで押し広げたり、ちぎったりする可能性があるので、十分に強度をもった金網を使う必要がある。さらに、野生動物が網の下の地面を掘って、網の下をくぐろうとすることに対する配慮も必要である。
【０００３】
特許文献１には、縦鉄線と横鉄線とが交わる交差部に孔を空けた防護材を縦鉄線と横鉄線との間に設けた防護柵が開示されている。特許文献２には、エキスパンドメタルを用いた防護柵が開示されている。
【先行技術文献】
【特許文献】
【０００４】
【特許文献１】特開２０１０−０２９１０１号公報
【特許文献２】特開２００１−１２８６１１号公報
【考案の概要】
【考案が解決しようとする課題】
【０００５】
本考案が解決しようとする課題は、野生動物、とりわけ猪の侵入を防止する侵入防止柵を提供することにある。
【課題を解決するための手段】
【０００６】
本考案は、地面に接する部分からはじまり、地上７０センチメートル乃至９０センチメートルの高さまでを覆う亀甲金網と、該亀甲金網のすぐ上からはじまり、地上１８０センチメートル乃至２００センチメートルの高さまでを覆う格子型金網とを、所定間隔に設けた支柱で支えてなる侵入防止柵である。地面と接する部分は２５センチメートル乃至４０センチメートルの幅にわたって設けた折り返し部として、アンカーにて固定する。アンカーを３０センチメートル乃至５０センチメートル間隔で設ける。リブを多用した形状により支柱の強度を高める。亀甲金網と格子型金網との境目はラセン金具を多数用いて接続する。格子型金網の格子の大きさは、上にいくほどまばらにする。
【考案の効果】
【０００７】
本考案は、猪の顔（口、牙、鼻）が届く範囲の部分を亀甲金網とし、猪、鹿などが跳び越える範囲の部分を格子型金網としたので、コストを抑えつつ、防御効果を高めることができる。また、上半分と下半分とで分かれているので、設置作業、メンテナンス作業をしやすい。亀甲金網と格子型金網との接続を専用ラセン金具にて行い、ボルトを用いずに確実に結束できる。亀甲金網が地面と接する部分を広くし、アンカーで固定したので、網の下をくぐろうとする動物の侵入の試みも阻止できる。支柱にリブを多用した形状としたので、野生動物の体当たりに対しても強固に防御できる。格子型金網の上の部分をまばらにしたので、コストの削減ができる。
【図面の簡単な説明】
【０００８】
【図１】図１は、侵入防止柵の全体を表す図である。図１（ａ）は地面への設置の様子を示す平面図である。図１（ｂ）は、横から見た正面図である。
【図２】図２は、支柱を支柱差込用アンカー部に差し込む様子を示す図である。図２（ａ）は、横（金網に垂直な方向）から見た図である。図２（ｂ）は、金網が延びる方向から見た図であり、支柱を差し込む直前の状態を示している。図２（ｃ）は、支柱を差し込んだ後の状態を示している。
【図３】図３は、亀甲金網の詳細を示す図である。
【図４】図４は、格子型金網の結合部を示す詳細図である。
【図５】図５は、支柱断面図である。図５（ａ）は支柱断面がリブを多用した特殊形状であることを示す。図５（ｂ）は、支柱差込用アンカー部に支柱が嵌め合わされた状態を示す。図５（ｃ）は、ボルトとナットとを用いて、支柱差込用アンカー部に支柱を固定した状態を示す。
【図６】図６は、ラセン金具を示す図である。
【図７】図７は、ラセン金具を用いて亀甲金網と格子型金網とを接続する様子を示す図である。
【図８】図８は、支柱と格子型金網との接続部分を示す図面代用写真である。この写真においては、ラセン金具を施す前の状況を示している。
【図９】図９は、侵入防止柵を実際に設置した状況を示す図面代用写真である。
【考案を実施するための形態】
【０００９】
以下、図面を参照しつつ本考案の実施形態を説明する。
【００１０】
図１は、侵入防止柵の全体を表す図である。図１（ａ）は地面への設置の様子を示す平面図である。図１（ｂ）は、横から見た正面図である。図１（ｃ）は、侵入防止柵が延びる方向から見た側面図である。本考案に係る侵入防止柵を設置するには、まず支柱３０を所定間隔、たとえば２．５メートルごとに立てる。支柱３０を立てるには図２に描いたように、支柱差込用アンカー部３１を地面に垂直に埋め込んで、その支柱差込用アンカー部３１に支柱３０をはめ込むことが便宜である。
【００１１】
支柱３０は、１８０センチメートルから２００センチメートルの高さを有している。鹿などの動物が跳び越えようとしても跳び越えられない十分な高さである。支柱３０の最上部から格子型金網２０をまず取り付ける。格子型金網については、図４を参照しつつ後述するが、水平に長く延びる横鉄線に対して、上方に延びる縦鉄線と下方に延びる縦鉄線との二本の鉄線を合わせて結合部２５において巻くことで、格子形状を繰り返し構成するものであって、上にいくほどまばらにしてある。鉄線の太さは、たとえば直径２ミリメートルのものを使うことができる。格子型金網２０は、支柱３０に対して固定金具を用いてボルト止めされる。
【００１２】
格子型金網２０のすぐ下の部分から地面に達する部分までは亀甲金網１０で覆われる。亀甲金網１０については、図３を参照しつつ後述するが、横方向に延びる複数の鉄線の隣り同士を絡ませることで、六角形が繰り返す模様を構成するように作られている。網目（より合わされた部分同士の間隔；いいかえれば、横に延びる隣り合う鉄線が一番離れる部分における距離）が６０ミリメートルで、鉄線の太さが２ミリメートル径のものを用いることができる。亀甲金網１０もまた、支柱３０に固定金具を用いて固定される。格子型金網２０と亀甲金網１０との間の部分は、図６、図７を用いて後述するが、ラセン金具４０を用いて結束する。
【００１３】
図１（ａ）に示すように、亀甲金網１０は、地面に達するだけでなく、さらに地面に接する折り返し部１１を２５センチメートル乃至４０センチメートルの幅で有しており、亀甲金網１０の下の地面を掘り進もうとする動物の侵入を阻止する。折り返し部１１は、長さ４０センチメートルほどのアンカー５０により地面に固定される。アンカー５０は、４０センチメートル乃至１００センチメートル程度の間隔で用いる。
【００１４】
図１（ａ）、図１（ｂ）に描かれているように、侵入防止柵が倒れるのを防止すべく控柱３５が設けられており、控柱用アンカー部３６により地面に固定される。
【００１５】
図２は、支柱を支柱差込用アンカー部に差し込む様子を示す図である。図２（ａ）は、横（金網に垂直な方向）から見た図である。図２（ｂ）は、金網が延びる方向から見た図であり、支柱を差し込む直前の状態を示している。図２（ｃ）は、支柱を差し込んだ後の状態を示している。支柱３０及び支柱差込用アンカー部３１は、図５を参照しつつ後述するが、リブを多用した形状としており、支柱差込用アンカー部３１に、支柱３０が嵌合する。支柱３１を立てる際には、まず支柱差込用アンカー部３１を地面に埋め込み（たたき込み）、その後、支柱３０を差し込み、格子型金網２０を取り付け、亀甲金網１０を取り付ける。
【００１６】
図３は、亀甲金網１０の詳細を示す図である。亀甲金網１０は、図３に示すように、横方向に延びる鉄線１４，１５，１６，１７，１８が隣合うもの同士より合わされて、六角形の繰り返し模様を構成するものである。鉄線１５は、より合わせ部Ａにおいては鉄線１６と三回より合わせられ、よりあわせ部Ｅにおいては反対側の隣り合う鉄線１４と三回より合わせられる。その後、鉄線１５と鉄線１６とは、より合わせ部Ｂにおいて、再びより合わせられる。このように亀甲金網１０を構成する一本一本の鉄線に着目すると、交互に上と下の隣り合う鉄線とより合わせられて、横方向に延びていく。網目が６０ミリメートルという意味は、たとえばより合わせ部Ｅとより合わせ部Ｆとの距離が６０ミリメートルであることを意味する。それは、ＡとＣとの間、ＢとＤとの間でも同じである。亀甲金網１０は、工場生産されて、巻かれた状態で柵を作る現場に運搬される。
【００１７】
図４は、格子型金網の結合部を示す詳細図である。格子型金網２０は、横方向（水平方向）に延びる横鉄線２１と、縦方向（垂直方向）に延びる縦鉄線２２，２３からなる。横鉄線２１は、複数の結合部２５を貫いて横方向に長く延びる鉄線であり、互いに平行に多数設けられる。下の方は密な格子を形成し、上にいくほどまばらな格子を形成する。縦鉄線２２，２３は、一つの格子の長さ分だけ格子型金網の形成に寄与するものである。結合部２５においては、上からの縦鉄線２２と下からの縦鉄線２３とをそれぞれ横鉄線２１に絡める。この繰り返しにより、格子型金網２０が形成されている。格子型金網２０もまた、工場生産され、巻かれた状態で柵を作る現場に運搬される。
【００１８】
図５は、支柱断面図である。図５（ａ）は支柱断面がリブを多用した特殊形状であることを示す。図５（ｂ）は、支柱差込用アンカー部に支柱が嵌め合わされた状態を示す。図５に示すように、支柱３０、支柱差込用アンカー部３１、いずれもリブを多用した形状をしており、野生動物が体当たりしても折れたり曲がったりしない強度を持っている。図５（ｃ）は、通しボルトとナットとを用いて、支柱差込用アンカー部に支柱を固定した状態を示す。
【００１９】
図６は、ラセン金具を示す図である。ラセン金具４０は、硬い針金をコイル状に４回巻いたものである。その内径は、格子型金網２０を形成する横鉄線１本と、亀甲金網１０を形成する針金１本とを包むことができるだけの大きさを有している。金網を形成する鉄線の径がいずれも２ミリメートルだとすると、ラセン金具４０は、４ミリメートルから５ミリメートルの内径を有している。図６（ａ）は、ラセン金具の中心軸に垂直な方向から見た図であり、図６（ｂ）は、中心軸の方向から見た図である。
【００２０】
図７は、ラセン金具を用いて亀甲金網と格子型金網とを接続する様子を示す図である。図７に示すように、亀甲金網の上端部分は、水平な鉄線がまっすぐに用いられている。ラセン金具４０は、亀甲金網を形成する上端部分の鉄線と、格子型金網を形成する下端部分の横鉄線とを、一緒にして接続する。柵を作る現場において用いるものである。実際の使用にあたっては、ラセン金具の一端に二つの鉄線がはいるようにしてから、四回ねじ込むようにして回す。はずす際には、逆のやり方をすればよい。このラセン金具をもちいることで、亀甲金網と格子型金網との境目をこじ開けようとする野生動物の試みを阻止することができる。
【００２１】
図８は、支柱と格子型金網との接続部分を示す図面代用写真である。固定金具とボルトを用いて格子型金網及び亀甲金網を支柱に固定している。この写真においては、ラセン金具を施す前の状況を示している。
【００２２】
図９は、侵入防止柵を実際に設置した状況を示す図面代用写真である。亀甲金網の折り返し部分は、実際の地面の現況に従い、変形されて施工される。
【産業上の利用可能性】
【００２３】
猪をはじめとし、柵を破ろうとする性質の強い野生動物一般に利用可能性がある。
【符号の説明】
【００２４】
１０  亀甲金網
１１  折り返し部
１４，１５，１６，１７，１８  鉄線
２０  格子型金網
２１  横鉄線
２２，２３  縦鉄線
２５  結合部
３０  支柱
３１  支柱差込用アンカー部
３５  控柱
３６  控柱用アンカー部
４０  ラセン金具
５０  アンカー
Ａ，Ｂ，Ｃ，Ｄ，Ｅ，Ｆ  より合わせ部
【図１】
0003161416.tif 000003
【図２】
0003161416.tif 000004
【図３】
0003161416.tif 000005
【図４】
0003161416.tif 000006
【図５】
0003161416.tif 000007
【図６】
0003161416.tif 000008
【図７】
0003161416.tif 000009
【図８】
0003161416.tif 000010
【図９】
0003161416.tif 000011